(57)【要約】【課題】ディスク記録媒体をターンテーブル上に保持するためのチャッキング機構を薄型化する。【解決手段】ターンテーブル１２に、複数の第１係合爪２２と複数の第２係合爪２４とを設けた。ディスク記録媒体１６をディスク支持面１８に装着する際に、第１係合爪は、そのディスク記録媒体の中央円形孔１４の縁部によりターンテーブルの回転軸心に対して径方向内方へ押し込まれる。第２係合爪は、第１係合爪が作動させられたときに、それに連動してターンテーブルの径方向外方へ付勢され、ディスク支持面に装着されたディスク記録媒体の中央円形孔の縁部と係合することで、そのディスク記録媒体をディスク支持面へ押圧保持する。【選択図】図１
2006313636.tif 000002
【特許請求の範囲】
【請求項１】
中央円形孔を有する記録媒体が載置される記録媒体支持部と、
回転軸芯を中心とする同心状に前記記録媒体の回転軸方向に突出するように設けられ、前記記録媒体の中央円形孔と嵌合する中央ブロック部と、
回転軸に対して径方向に突出するように前記中央ブロック部に設けられるとともに、前記記録媒体を前記記録媒体支持部に載置するとき前記記録媒体の中央円形孔の縁部と係合し、前記中央ブロックの内方に移動する第１係合爪と、
回転軸に対して径方向に突出するように前記中央ブロック部の前記第１係合爪が設けられた位置とは異なる位置に設けられ前記記録媒体を前記記録媒体支持部へ付勢する第２係合爪と、
から構成されるチャッキング機構。
【請求項２】
請求項１記載のチャッキング機構を備えたことを特徴とするディスクドライブ装置。
【発明の詳細な説明】
【技術分野】
【０００１】
本発明は、例えばコンパクトディスク（ＣＤ）やデジタルバーサタイルディスク（ＤＶＤ）のような、中央円形孔を有するディスク記録媒体を、ディスクドライブ装置のターンテーブルのディスク支持面上に保持するためのチャッキング機構に関し、また、かかるチャッキング機構を用いたディスクドライブ装置に関する。
【背景技術】
【０００２】
ＣＤやＤＶＤなどはリムーバブルディスク記録媒体であり、ディスクドライブ装置のターンテーブルに装着して使用し、その装着のために、それらディスク記録媒体には、その中央に円形の孔が設けられている。一方、ディスクドライブ装置のターンテーブルは、ディスク支持面を備えていると共に、装着されたディスク記録媒体をそのディスク支持面上に保持するための、何らかの保持機構を備えている。
【０００３】
ＣＤやＤＶＤに対応したディスクドライブ装置のうちでも、特に、ポータブル型のＣＤプレーヤやＤＶＤプレーヤ、それにノート型パソコンなどに搭載するディスクドライブ装置は、何よりもその装置を薄型のものとすることが強く求められており、その装置の厚さを、たとえ１ｍｍの数分の一でも小さくしようとして、多くの努力が払われている。ディスクドライブ装置の厚さを決定する主たる要因は、ディスク記録媒体を回転駆動するための駆動用モータの厚さと、ディスク記録媒体をターンテーブルに保持するための保持機構の厚さである。
【０００４】
かかる保持機構には、様々な型式のものがあるが、薄型化という観点から最も望ましい型式は、ディスク記録媒体をターンテーブルのディスク支持面上に押付けて保持する可動爪を備えたチャッキング機構をターンテーブルに設けたものであると思われる。図６〜図８にその種の従来のチャッキング機構の一例を示した。
【０００５】
図６において、扁平な円盤形のスピンドルモータ６０の出力軸にターンテーブル６２が連結されており、このターンテーブル６２の上面の中央に、ＣＤ等のディスク記録媒体の中央円形孔に嵌合する中央ブロック６４が設けられている。中央ブロック６４は、扁平な円盤形のキャップ状の部材として形成されており、ターンテーブル６２の回転軸心と同心的に配設され、ターンテーブル６２に固定して組付けられている。中央ブロック６４の外径寸法は、ディスク記録媒体１６の中央円形孔１４（図８参照）の内径に合わせてあり、装着されるディスク記録媒体はこの中央ブロック６４によって、ターンテーブル６２の回転軸心に対して位置合せされる。更に、ターンテーブル６２には、３個の係合爪６６が、中央ブロック６４の外周面から径方向に出没するように、即ち、略々径方向に移動可能に設けられている。
【０００６】
図７は、図６に示した中央ブロック６４を裏返して示した斜視図である。中央ブロック６４の中には、３個の摺動部材６８が内蔵されており、それら摺動部材６８は、径方向に摺動可能なように中央ブロック６４に支持されており、コイルばね７０によって径方向外方へ付勢されている。摺動部材６８の径方向外端に、上述した係合爪６６が形成されており、摺動部材６８が径方向に摺動することで、係合爪６６が中央ブロック６４の外周面から径方向に出没する。
【０００７】
図８は、図６及び図７に示した係合爪６６を拡大して示した図であり、図示のごとく、係合爪６６は、その先端に斜め上向きの第１係合面７２と、斜め下向きの第２係合面７４とを備えている。ユーザは、ディスク記録媒体１６をターンテーブル６２に装着する際には、そのディスク記録媒体１６を手に持ち、そのディスク記録媒体１６の中央円形孔１４にターンテーブル１２の中央ブロック６４を嵌合させるようにして、ターンテーブル６２へ押付ける。すると、そのディスク記録媒体１６の下面側における中央円形孔１４の縁部が、係合爪６６の斜め上向きの第１係合面７２に係合してこれを押圧するため、ユーザは係合爪６６をコイルばね７０の付勢力に抗して径方向内方へ押し込むことができる。
【０００８】
更にディスク記録媒体１６を下方へ押付けて、ディスク記録媒体１６の下面をターンテーブル６２の上面に当接させたならば、係合爪６６の先端の尖った部分が、ディスク記録媒体１６の中央円形孔１４から上方へ抜け出すため、係合爪６６の斜め下向きの第２係合面７４が、ディスク記録媒体１６の上面側における中央円形孔１４の縁部に係合し、これによって、係合爪６６がディスク記録媒体１６をターンテーブル６２上に保持するようになる。図８は、このときの状態を示した図である。同図から分かるように、係合爪６６の厚さは、装着されるディスク記録媒体１６の厚さの約３倍ほどもあり、このように係合爪６６が厚いのは、第１係合面７２と第２係合面７４とが上下に並んで形成されているからである。そして、この従来のチャッキング機構では、その厚さをこの係合爪６６の厚さ以下にすることはできない。
【０００９】
その他の従来のチャッキング機構としては、例えば特開２０００−１８２３０５号公報に記載されているものなどがあるが、同公報のチャッキング機構は、上述したチャッキング機構より更に厚くならざるを得ない。
【特許文献１】特開２０００−１８２３０５号公報
【発明の開示】
【発明が解決しようとする課題】
【００１０】
図６〜図８を参照して上に説明したチャッキング機構は、リムーバブルディスク記録媒体をターンテーブルのディスク支持面上に保持するための在来の機構のうちでは、おそらく最も薄く構成し得る機構であると思われるが、しかしながら、それでも尚、ディスク記録媒体の厚さの３倍ほどの厚さを有する。リムーバブルディスク記録媒体を駆動するディスクドライブ装置を装備する機器のうちには、例えば、ポータブル型のＣＤプレーヤやＤＶＤプレーヤ、それにノート型パソコンなどのように、その機器の厚さを１ｍｍでも減じることが商品価値の向上に直結するものが多数あり、それを考慮するならば、かかるチャッキング機構を更に薄くすることが強く望まれていることは明らかである。
【００１１】
本発明は、上記事情に鑑みて成されたものであり、本発明の目的は、中央円形孔を有するディスク記録媒体をターンテーブルのディスク支持面上に保持するためのチャッキング機構に改良を加え、そのチャッキング機構を更に薄く構成できるようにすることになる。また、本発明の更なる目的は、かかるチャッキング機構を用いたディスクドライブ装置を提供することにある。
【課題を解決するための手段】
【００１２】
かかる目的を達成するために、本発明に係るチャッキング機構は、中央円形孔を有する記録媒体が載置される記録媒体支持部と、回転軸芯を中心とする同心状に前記記録媒体の回転軸方向に突出するように設けられ、前記記録媒体の中央円形孔と嵌合する中央ブロック部と、回転軸に対して径方向に突出するように前記中央ブロック部に設けられるとともに、前記記録媒体を前記記録媒体支持部に載置するとき前記記録媒体の中央円形孔の縁部と係合し、前記中央ブロックの内方に移動する第１係合爪と、回転軸に対して径方向に突出するように前記中央ブロック部の前記第１係合爪が設けられた位置とは異なる位置に設けられ前記記録媒体を前記記録媒体支持部へ付勢する第２係合爪とから構成されることを特徴とする。
また、本発明に係るディスクドライブ装置は、かかるチャッキング機構を備えたことを特徴とする。
【発明の効果】
【００１３】
本発明によれば、中央円形孔を有するディスク記録媒体をターンテーブルのディスク支持面上に保持するためのチャッキング機構を、極めて薄く構成することができ、ひいてはディスクドライブ装置を非常に薄く構成することができる。
【発明を実施するための最良の形態】
【００１４】
以下に、本発明の実施の形態について説明する。図１は中央円形孔を有するディスク記録媒体をターンテーブルのディスク支持面上に保持するための本発明の一実施例に係るチャッキング機構を備えたターンテーブルの斜視図、図２Ａ〜図２Ｃは図１に示した中央ブロック、第１係合爪、及び第２係合爪をディスク記録媒体と共に示した断面図、図３は図１に示した中央ブロックを裏返してその内部を示した斜視図、図４は図３の中央ブロックに内蔵されている揺動部材を取出して示した斜視図、図５Ａ〜図５Ｃは夫々図２Ａ〜図２Ｃの状態に対応した揺動部材の状態を示した図である。
【００１５】
図１に斜視図で示したのは、中央円形孔を有するディスク記録媒体をターンテーブルのディスク支持面上に保持するための本発明の一実施例に係るチャッキング機構１０を備えたターンテーブル１２である。図示したチャッキング機構１０及びターンテーブル１２はコンパクトディスク（ＣＤ）を駆動するディスクドライブ装置に使用するものである。ただし、本発明に係るチャッキング機構の用途は、ＣＤ用のディスクドライブ装置に限られず、中央円形孔を有し、その中央円形孔の縁部に係合爪を係合させて、ターンテーブルのディスク支持面上に保持することのできるディスク記録媒体でありさえすれば、どのようなディスク記録媒体のディスクドライブ装置にも利用可能であり、その種のディスク記録媒体には、例えばデジタルバーサタイルディスク（ＤＶＤ）などがある。
【００１６】
図１に示したように、チャッキング機構１０はディスクドライブ装置のターンテーブル１２に設けられている。ディスクドライブ装置は、ターンテーブル１２を回転駆動するための扁平な円盤形のスピンドルモータ（不図示）を備えており、ターンテーブル１２は、そのスピンドルモータの出力軸に固定連結されて駆動される。また、そのスピンドルモータは、その略々全体がこのターンテーブル１２の内部に収容され、そのスピンドルモータとターンテーブル１２とから成るユニットがディスクドライブ装置に組付けられる。
【００１７】
図１には、ターンテーブル１２の回転軸心を、一点鎖線ＡＸで示した。尚、以下の説明において、方向を示すときには、特に断らない限り、このターンテーブル１２の回転軸心ＡＸを基準として方向を表す。従って、単に「径方向」というとき、それは、この回転軸心ＡＸに対する径方向を意味するものである。また、実際のターンテーブル１２の向きは図１に示した向きとは限らないが、説明の便宜上、以下の説明においては、図１における上方及び下方をもって、ターンテーブル１２の上方及び下方と呼ぶこととする。従って、図１は、ターンテーブル１２を斜め上方から見た斜視図である。また、その他の構成部材の上方及び下方も、この方向に合わせるものとする。
【００１８】
ターンテーブル１２は、その上面の周縁部に、円環状のディスク支持面１８を備えており、このディスク支持面１８は、中央円形孔１４を有するディスク記録媒体１６（図２〜図４参照）の下面側の、その中央円形孔１４の周辺部に当接して、そのディスク記録媒体１６を支持するものである。
【００１９】
ターンテーブル１２の上面の中央に、ディスク記録媒体の中央円形孔に嵌合する中央ブロック２０が設けられている。中央ブロック２０は、扁平な円盤形のキャップ状の部材として形成されており、ターンテーブル１２の回転軸心ＡＸと同心的に配設され、ターンテーブル１２に固定して組付けられている。中央ブロック２０の外径寸法は、ディスク記録媒体１６の中央円形孔１４の内径に合わせてあり、装着されるディスク記録媒体はこの中央ブロック２０によって、ターンテーブル１２の回転軸心ＡＸに対して位置合せされる。中央ブロック２０の厚さは、装着されるディスク記録媒体の厚さに略々等しく、それより僅かに厚いだけである（図２〜図４参照）。
【００２０】
ターンテーブル１２には、３個の第１係合爪２２と、３個の第２係合爪２４とが、中央ブロック２０の外周面から径方向に出没するように、即ち、略々径方向に移動可能に設けられている。それら第１及び第２係合爪２２、２４は、中央ブロック２０の周縁部に６０度の角度間隔で交互に配設されており、従って、均等な角度間隔で設けられている。
【００２１】
第１係合爪２２及び第２係合爪２４は、その先端（径方向外端）が、中央ブロック２０の外周から径方向外方へ突出可能であって、ディスク記録媒体の中央円形孔の縁部と係合可能である。ただし、ターンテーブル１２にディスク記録媒体が装着されていないときには、第１係合爪２２は径方向外方へ付勢されて中央ブロック２０の外周から所定量突出しているのに対して、第２係合爪２４は中央ブロック２０の外周の内側に収まっている。そして、ユーザがターンテーブル１２のディスク支持面１８にディスク記録媒体を装着しようとすると、第１係合爪２２は、そのディスク記録媒体の中央円形孔の縁部と係合することで作動させられ、一方、第２係合爪２４は、第１係合爪２２が作動させられたときに、それに連動して径方向外方へ付勢され、ターンテーブル１２のディスク支持面１８に装着されたディスク記録媒体の中央円形孔の縁部と係合することで、そのディスク記録媒体をターンテーブル１２のディスク支持面１８へ押圧保持する。
【００２２】
これら第１係合爪２２及び第２係合爪２４の作用について、図２Ａ〜図２Ｃに示した中央ブロック２０、第１係合爪２２、第２係合爪２４、及びディスク記録媒体１６の断面図を参照して説明する。図２Ａは、ディスク記録媒体１６がターンテーブル１２に装着される前の状態であって、第１係合爪２２の先端は中央ブロック２０の外周から径方向外方に突出しており、第２係合爪２４の先端は中央ブロック２０の外周の内部に収まっている。図２Ｂは、ディスク記録媒体１６がターンテーブル１２のディスク支持面１８に着座する直前の状態であって、第１係合爪２２は中央ブロック２０に押し込まれ、第１係合爪２２の先端及び第２係合爪２４の先端はディスク記録媒体１６の中央円形孔１４の内周面に係合している。また、図２Ｃは、ディスク記録媒体１６がディスク支持面１８に装着され、第２係合爪２４によって保持されているときの状態であって、第１係合爪２２は中央ブロック２０に押し込まれているが、第２係合爪２４の先端は中央ブロック２０の外周から径方向外方に突出しており、第２係合爪２４の係合面３０が、ディスク記録媒体１６の上面側における中央円形孔１４の縁部に係合している。
【００２３】
図２Ａ〜図２Ｃにおいて、第１係合爪２２は、後述する付勢機構によって矢印２２ａで示したように径方向外方へ常時付勢されており、また、後述するストッパ機構によって、径方向外方へ突出し得る限度位置が図２Ａに示す位置に規制されている。一方、第２係合爪２４は、後述する連動付勢機構によって、第１係合爪２２が付勢機構の付勢力に抗して径方向内方へ押し込まれたときに、その第１係合爪２２の動作と連動して、径方向外方へ付勢されるようにしてある。
【００２４】
更に、図１及び図２Ａ〜図２Ｃに示したように、第１係合爪２２の先端（径方向外端）には、斜め上方を向いた係合面２８が形成されており、この係合面２８は、ユーザがターンテーブル１２のディスク支持面１８に装着しようとするディスク記録媒体１６の中央円形孔１４の縁部と係合することで、第１係合爪２２を付勢機構の付勢力に抗して径方向内方へ押し込む力を発生させるための係合面である。また、第２係合爪２４の先端（径方向外端）には、斜め下方を向いた係合面３０が形成されており、この係合面３０は、ターンテーブル１２のディスク支持面１８に装着されたディスク記録媒体１６の中央円形孔１４の縁部と係合することで、そのディスク記録媒体１６をディスク支持面１８へ押圧保持する力を発生させるための係合面である。
【００２５】
ユーザは、ディスク記録媒体１６をターンテーブル１２に装着する際には、そのディスク記録媒体１６を手に持ち、そのディスク記録媒体１６の中央円形孔１４にターンテーブル１２の中央ブロック２０を嵌合させるようにして、ターンテーブル１２へ押付ける。すると、そのディスク記録媒体１６の下面側の中央円形孔１４の縁部が、第１係合爪２２の斜め上向きの係合面２８に係合するため、ユーザは、ディスク記録媒体１６の中央円形孔１４の縁部で、第１係合爪２２を付勢機構の付勢力に抗して径方向内方へ押し込むことができ、こうして第１係合爪２２を押し込んだときの状態を示したのが図３である。この図３の状態において、第２係合爪２４は、第１係合爪２２が押し込まれることに連動して径方向外方へ付勢されているが、ただし、第２係合爪２４の先端がディスク記録媒体１６の中央円形孔１４の内周面に当接しているため、第２係合爪２４は中央ブロック２０の外周から殆ど突出していない。
【００２６】
更にディスク記録媒体１６を下方へ押付けてターンテーブル１２のディスク支持面１８に装着したならば、第２係合爪２４の先端が、ディスク記録媒体１６の中央円形孔１４から上方へ抜け出すため、この第２係合爪２４の斜め下向きの係合面３０が、ディスク記録媒体１６の上面側の中央円形孔１４の縁部に係合し、これによって、第２係合爪２４がディスク記録媒体１６を、ターンテーブル１２のディスク支持面１８上に保持するようになる。このときの状態を示したのが図２Ｃである。図２Ａ〜図２Ｃから分かるように、本発明に係るチャック機構は非常に薄く、その厚さはディスク記録媒体１６の厚さと殆ど変わらず、それより僅かに厚いだけである。
【００２７】
次に、上で言及した、第１係合爪２２を径方向外方へ常時付勢する付勢機構と、第１係合爪２２が径方向外方へ突出し得る限度位置を規制するストッパ機構と、第２係合爪２４を第１係合爪２２と連動させて、第１係合爪２２が付勢機構の付勢力に抗して径方向内方へ押し込まれたときに、第２係合爪２４を径方向外方へ付勢する連動付勢機構の具体的な構成について説明する。図示の実施例においては、独特の構造の揺動部材を使用することで、それら複数の機構を複合した簡明な構造の機構を実現しており、この機構を示したのが、図３、図４、及び図５Ａ〜図５Ｃである。
【００２８】
図３は、図１に示した中央ブロック２０を裏返してその内部を示した斜視図である。キャップ状に形成されている中央ブロック２０の内部には、３個の揺動部材３２が内蔵されており、それら揺動部材３２は、中央ブロック２０に揺動可能に支持され、ターンテーブル１２の回転軸心ＡＸ（図１参照）から等距離の位置に周方向に間隔を置いて、等角度間隔で配設されている。
【００２９】
図４は、３個の揺動部材３２のうちの１個を取出して示した斜視図である。同図に示したように、揺動部材３２は、中央軸支部３４と、第１腕３６を介して中央軸支部３４に連結した第１係合爪２２と、第２腕３８を介して中央軸支部３４に連結した第２係合爪２４とを備えている。中央軸支部３４には、孔４０が形成されており、この孔４０が、中央ブロック２０に一体に形成された支軸部４２（図３参照）に嵌合することによって、揺動部材３２は、中央軸支部３４において、ターンテーブル１２の回転軸心ＡＸと平行な揺動軸心ＢＸの回りに揺動可能に軸支される。また、第１係合爪２２と第２係合爪２４とは、中央軸支部３４を間に挟んでターンテーブルの回転軸心に対する周方向の互いに反対側に位置している。揺動部材３２は更に、中央軸支部３４の縁部にスプリング係合突起４２を備え、また、第１係合爪２２の側部に第１ストッパ突起４４を備え、また、第２係合爪２４の側部に第２ストッパ突起４６を備え、更には、第１係合爪２２の後端にばね突起４８を備えており、これら突起の機能については後述する。揺動部材３２は、以上の中央軸支部３４、第１腕３６、第２腕３８、第１係合爪２２、第２係合爪２４、スプリング係合突起４２、第１ストッパ突起４４、第２ストッパ突起４６、及びばね突起４８が一体に形成された樹脂製のワンピース成形品であり、その材料の樹脂には、十分な強度及び弾性を有する樹脂を使用している。
【００３０】
第１腕３６は十分に太く、実質的に剛体の腕であるのに対して、第２腕３８は細く、屈曲しており、可撓性及び弾性を有する腕として形成されている。第１係合爪２２及び第２係合爪２４は、中央ブロック２０に形成されている径方向に延在するスロットに収容されており、特に、第２係合爪２４を収容しているスロットは、第２係合爪２４を径方向に案内する案内スロットとしての機能を果たしている。揺動部材３２は、シーソー式のレバーとしての形態を有するものであるため、揺動部材３２が揺動することで、第１係合爪２２及び第２係合爪２４の一方を径方向外方へ移動させ、他方を径方向内方へ移動させることができるが、ただしそればかりでなく、第２腕３８が可撓性を有することから、この第２腕３８が撓むことによって、第１係合爪２２と第２係合爪２４のうちの一方を移動させずに、他方だけを径方向に移動させることも可能となっている。尚、このような一方のみの移動を可能にするには、図示の実施例のように、第１腕３６を剛体の腕とし、第２腕３８を可撓性を有する腕とすることに限られず、第１腕３６と第２腕３８との少なくとも一方が可撓性を有しているようにすればよい。そうすれば、第１係合爪２２が、揺動部材３２が揺動するか又は第１腕３６が撓むことによって略々径方向に移動可能で、また、第２係合爪２４が、揺動部材３２が揺動するか又は第２腕３８が撓むことによって略々径方向に移動可能となる。
【００３１】
ばね突起４８は、その先端が中央ブロック２０に形成されている突起５０（図３参照）に当接して常時撓んだ状態とされている。このばね突起４８は、揺動部材３２を一方の揺動方向へ常時付勢することによって、第１係合爪２２を径方向外方へ常時付勢するための突起である。また、第１ストッパ突起４４は、中央ブロック２０の周壁部の内面と当接することによって、ばね突起４８によって径方向外方へ常時付勢されている第１係合爪２２が径方向外方へ突出し得る限度位置を規制するものである。また、第２ストッパ突起４６は、これも中央ブロック２０の周壁部の内面と当接することによって、第２係合爪２４が径方向外方へ突出し得る限度位置を規制するものである。
【００３２】
以上の構成によって、揺動部材３２は、第１係合爪２２と第２係合爪２４とを連動させて、第１係合爪２２が径方向内方へ押し込まれたときに第２係合爪２４を径方向外方へ付勢する機能を果たすものとなっている。
【００３３】
更に、個々の揺動部材３２には、その揺動部材３２と協働するねじりコイルばね５２が装備されている（図３参照。ただし図３には、３個装備されているコイルばね５２のうちの１個だけを示した）。このねじりコイルばね５２は、第１係合爪２２が径方向内方へ押し込まれたときに第２係合爪２４が径方向外方へ付勢される付勢力の大きさを設定するスプリング機構として機能するものである。この付勢力の大きさは、第２腕３８の寸法及び形状を適切に設計して第２腕３８の弾性力を適宜定めることによっても設定可能であり、従って本発明は、ねじりコイルばね５２を省略した構成とし得る可能性がある。しかしながら、ねじりコイルばね５２を装備することによって、第２係合爪２４の付勢力の設定がはるかに容易になるため、これを装備することが好ましい。
【００３４】
ねじりコイルばね５２は、そのコイル部が、揺動部材３２の中央軸支部３４に形成されているボス部に嵌合されており、その一方の腕が、第１係合爪２２の径方向内端に係合しており、その他方の腕がスプリング係合突起４２に係合している。ねじりコイルばね５２は、予荷重を付与して揺動部材３２に装着してあり、その予荷重によって第１係合爪２２とスプリング係合突起４２とを夫々に径方向外方へ付勢している。そして、ねじりコイルばね５２の他方の腕は、第１係合爪２２が径方向内方へ押し込まれて揺動部材３２が揺動したならば、第２係合爪２４の径方向内端に係合することによって、スプリング係合突起４２との係合が解消し、第２係合爪２４を径方向外方へ付勢するようになる。
【００３５】
図５Ａ〜図５Ｃは、夫々、図２Ａ〜図２Ｃの状態に対応した揺動部材３２の状態を示した図である。図５Ａは、ディスク記録媒体がターンテーブルに装着される前の状態であって、第１係合爪２２の先端は中央ブロック２０の外周から径方向外方に突出しており、第２係合爪２４の先端は中央ブロック２０の外周の内部に収まっている。図５Ｂは、ディスク記録媒体がターンテーブルのディスク支持面に着座する直前の状態であって、第１係合爪２２は中央ブロック２０に押し込まれ、このとき第１係合爪２２の先端及び第２係合爪２４の先端は、ディスク記録媒体の中央円形孔の内周面に係合している（図２Ｂ参照）。また、図５Ｃは、ディスク記録媒体がディスク支持面に装着され、第２係合爪２４によって保持されているときの状態であって、第１係合爪２２は中央ブロック２０に押し込まれているが、第２係合爪２４の先端は中央ブロック２０の外周から径方向外方に突出しており、このとき第２係合爪２４の係合面３０は、ディスク記録媒体の上面側における中央円形孔の縁部に係合している（図２Ｃ参照）。
【００３６】
図２Ｃ及び図５Ｃに示したように、第２係合爪２４がディスク記録媒体１６を保持する状態になったとき、ねじりコイルばね５２の他端は、スプリング係合突起４２ではなく第２係合爪２４に係合しており、従って、第２係合爪２４によるディスク記録媒体１６の保持力は、ねじりコイルばね５２の弾性力と揺動部材３２の第２腕３８の弾性力とによって得られている。そして、図示例では特に、前者の弾性力を後者の弾性力より大きくして、第２係合爪２４によるディスク記録媒体１６の保持力が、主としてねじりコイルばね５２の弾性力によって決定されるようにしている。
【図面の簡単な説明】
【００３７】
【図１】中央円形孔を有するディスク記録媒体をターンテーブルのディスク支持面上に保持するための本発明の一実施例に係るチャッキング機構を備えたターンテーブルの斜視図である。
【図２Ａ】図１に示した中央ブロック、第１係合爪、及び第２係合爪をディスク記録媒体と共に示した断面図であり、ディスク記録媒体がターンテーブルに装着される前の状態を示した図である。
【図２Ｂ】図１に示した中央ブロック、第１係合爪、及び第２係合爪をディスク記録媒体と共に示した断面図である。
【図２Ｃ】図１に示した中央ブロック、第１係合爪、及び第２係合爪をディスク記録媒体と共に示した断面図である。
【図３】図１に示した中央ブロックを裏返してその内部を示した斜視図である。
【図４】図３の中央ブロックに内蔵されている揺動部材を取出して示した斜視図である。
【図５Ａ】図２Ａの状態に対応した揺動部材の状態を示した図である。
【図５Ｂ】図２Ｂの状態に対応した揺動部材の状態を示した図である。
【図５Ｃ】図２Ｃの状態に対応した揺動部材の状態を示した図である。
【図６】従来のチャッキング機構の斜視図である。
【図７】図６に示した中央ブロックを裏返してその内部を示した斜視図である。
【図８】図６に示した中央ブロック及び係合爪をディスク記録媒体と共に示した断面図である。
【符号の説明】
【００３８】
１０……チャッキング機構、１２……ターンテーブル、１４……ディスク記録媒体の中央円形孔、１６……ディスク記録媒体、１８……ディスク支持面、２０……中央ブロック、２２……第１係合爪、２４……第２係合爪、２８……第１係合爪の係合面、３０……第２係合爪の係合面、３２……揺動部材。
【図１】
2006313636.tif 000003
【図２Ａ】
2006313636.tif 000004
【図２Ｂ】
2006313636.tif 000005
【図２Ｃ】
2006313636.tif 000006
【図３】
2006313636.tif 000007
【図４】
2006313636.tif 000008
【図５Ａ】
2006313636.tif 000009
【図５Ｂ】
2006313636.tif 000010
【図５Ｃ】
2006313636.tif 000011
【図６】
2006313636.tif 000012
【図７】
2006313636.tif 000013
【図８】
2006313636.tif 000014